(57)【要約】【課題】ケーシングに、局部洗浄機構と、便器洗浄機構とを内蔵したトイレ装置において、ケーシングと、便器と、の間の隙間に溜まった汚れやゴミを容易に清掃することができるトイレ装置を提供することを目的とする。【解決手段】ボウル部を有する便器本体の後部に設けられ、人体の局部を洗浄可能な局部洗浄機構と、便器本体の後部で局部洗浄機構の後方に設けられ、便器本体のボウル部を洗浄水により洗浄可能な便器洗浄機構と、局部洗浄機構と便器洗浄機構とを内蔵したケーシングと、を備えたトイレ装置において、局部洗浄機構は前ベースプレートを介して便器本体に取り付けられ、便器洗浄機構は後ベースプレートを介して便器本体に取り付けられ、前ベースプレートの前方側が、便器本体の上面から上昇することにより、前ベースプレートと、局部洗浄機構と、前記ケーシングと、が傾斜可能であることを特徴とするトイレ装置。【選択図】図３
2014218864.tif 000002
【特許請求の範囲】
【請求項１】
ボウル部を有する便器本体の後部に設けられ、人体の局部を洗浄可能な局部洗浄機構と、
前記便器本体の後部で前記局部洗浄機構の後方に設けられ、前記便器本体のボウル部を洗浄水により洗浄可能な便器洗浄機構と、
前記局部洗浄機構と前記便器洗浄機構とを内蔵したケーシングと、
を備えたトイレ装置において、  前記局部洗浄機構は前ベースプレートを介して前記便器本体に取り付けられ、  前記便器洗浄機構は後ベースプレートを介して前記便器本体に取り付けられ、  前記前ベースプレートの前方側が、前記便器本体の上面から上昇することにより、前記前ベースプレートと、前記局部洗浄機構と、前記ケーシングと、が傾斜可能であることを特徴とするトイレ装置。
【請求項２】
前記前ベースプレートは、後方側に回転軸を備え、
前記回転軸は、前記後プレートの後方側に形成された回転軸受け部に嵌挿されていることを特徴とする請求項１に記載のトイレ装置。
【請求項３】
前記前ベースプレートは、前記局部洗浄機構が、設置される第１プレートと、前記便器本体への取り付け機構を備えた第２プレートと、を備え、
前記第１プレートの前方側が、前記便器本体の上面から上昇することにより、前記第１プレートと、前記局部洗浄機構と、前記ケーシングと、を傾斜可能とする昇降装置により、前記第１プレートと前記第２プレートとは、固定及び離反可能となっていることを特徴とする請求項２に記載のトイレ装置。
【請求項４】
前記第２プレートの後方側の一部は、前記後ベースプレートの前側の一部の上方に積載されていることを特徴とする請求項３に記載のトイレ装置。
【発明の詳細な説明】
【技術分野】
【０００１】
本発明の態様は、一般的に、トイレ装置に関し、具体的には洋式腰掛便器に腰かけた使用者の「おしり」などを水で洗浄可能としたトイレ装置に関する。
【背景技術】
【０００２】
トイレ装置のなかには、例えば、便座に座った使用者の「おしり」などを洗浄する局部洗浄機能や、便座に座った使用者の「おしり」などに向けて温風を吹き付けて乾燥させる温風乾燥機能などを有する局部洗浄装置が設けられたものがある。このような局部洗浄装置が有する各種機能の機能部品は、一般的に、洋式腰掛便器（以下、単に「便器」と称する）の後方上部に設置されたケーシングに内蔵されている。このとき、局部洗浄装置のケーシングと、便器の上面と、の間の隙間には、汚れやゴミが溜まる場合がある。
【０００３】
そこで、局部洗浄装置のケーシングと、便器の上面と、の間の隙間に溜まった汚れやゴミを清掃できるように、ケーシングの前方側を便器の上面から上昇させケーシングの下面を便器の上面から離間させる昇降装置を備え、ケーシングが傾斜可能なトイレ装置がある（特許文献１）。
【０００４】
一方、トイレ装置のなかには、ケーシングの中に便器のボウル部を洗浄水により洗浄可能な便器洗浄機構を設けたトイレ装置がある。この便器洗浄機構をケーシングの中に設けたトイレ装置において、特許文献１に記載の昇降装置を採用した場合、便器洗浄機構の機能部品であるタンクも傾斜してしまい、タンクに貯水された洗浄水が、漏水してしまうという問題がある。
【０００５】
この問題に対して、便器洗浄機構と、局部洗浄装置とを別々のプレートを介して、便器の上面に取り付けて、局部洗浄装置のプレートのみを便器の上面から上昇させることにより、ケーシングと、便器の上面と、の間の隙間に溜まった汚れやゴミを清掃可能にしたトイレ装置がある（特許文献２）。
【０００６】
しかしながら、特許文献２のトイレ装置では、居部洗浄装置のプレート全体が、上方に向かって上昇するため、耐久性や上昇させるための大きな力を有する昇降装置が、必要となるため、昇降装置が大掛かりになってしまうという問題がある。
【先行技術文献】
【特許文献】
【０００７】
【特許文献１】特開２０１０−２７５６８６号公報
【特許文献２】特開２００２−４３８３号公報
【発明の概要】
【発明が解決しようとする課題】
【０００８】
本発明は、かかる課題の認識に基づいてなされたものであり、ケーシングに、局部洗浄機構と、便器洗浄機構とを内蔵したトイレ装置において、ケーシングと、便器と、の間の隙間に溜まった汚れやゴミを容易に清掃することができるトイレ装置を提供することを目的とする。
【課題を解決するための手段】
【０００９】
第１の発明は、ボウル部を有する便器本体の後部に設けられ、人体の局部を洗浄可能な局部洗浄機構と、前記便器本体の後部で前記局部洗浄機構の後方に設けられ、前記便器本体のボウル部を洗浄水により洗浄可能な便器洗浄機構と、前記局部洗浄機構と前記便器洗浄機構とを内蔵したケーシングと、を備えたトイレ装置において、前記局部洗浄機構は前ベースプレートを介して前記便器本体に取り付けられ、前記便器洗浄機構は後ベースプレートを介して前記便器本体に取り付けられ、前記前ベースプレートの前方側が、前記便器本体の上面から上昇することにより、前記前ベースプレートと、前記局部洗浄機構と、前記ケーシングと、が傾斜可能であることを特徴とするトイレ装置である。
【００１０】
このトイレ装置によれば、前ベースプレートの前方側が、便器本体の上面から上昇することにより、前ベースプレートと、局部洗浄機構と、ケーシングと、が傾斜可能であるので、耐久性や大きな力を必要な大掛かりな装置を用いなくて、簡単に上昇させることができる。そのため、容易に、ケーシングと、便器と、の間の隙間に溜まった汚れやゴミを容易に清掃することができる。
【００１１】
また、第２の発明は、第１の発明において、前記前ベースプレートは、後方側に回転軸を備え、前記回転軸は、前記後プレートの後方側に形成された回転軸受け部に嵌挿されていることを特徴とするトイレ装置である。
【００１２】
このトイレ装置によれば、大掛かりな装置を用いなくても、簡単に、前ベースプレートと、局部洗浄機構と、ケーシングと、を傾斜させることができる。
【００１３】
また、第３の発明は、第２の発明において、前記前ベースプレートは、前記局部洗浄機構が、設置される第１プレートと、前記便器本体への取り付け機構を備えた第２プレートと、を備え、前記第１プレートの前方側が、前記便器本体の上面から上昇することにより、前記第１プレートと、前記局部洗浄機構と、前記ケーシングと、を傾斜可能とする昇降装置により、前記第１プレートと前記第２プレートとは、固定及び離反可能となっていることを特徴とするトイレ装置である。
【００１４】
このトイレ装置によれば、前プレートが、傾斜する第１プレートと、便器本体への取り付けを第２プレートとを備えるので、便器本体への固定と、第１プレートと、局部洗浄機構と、ケーシングと、を傾斜可能とを、簡単な昇降装置で提供することができる。
【００１５】
また、第４の発明は、第３の発明において、前記第２プレートの後方側の一部は、前記後ベースプレートの前側の一部の上方に積載されていることを特徴とするトイレ装置である。
【００１６】
このトイレ装置によれば、第２プレートの後方側の一部が、後ベースプレートの前側の一部の上方に積載されているので、便器本体の上面にうねりがあったとしても、第２プレートを、略水平に取り付けることができるので、第１プレートと、局部洗浄機構と、ケーシングと、を略鉛直方向に対して傾斜させることができる。
【発明の効果】
【００１７】
本発明の態様によれば、ケーシングに、局部洗浄機構と、便器洗浄機構とを内蔵したトイレ装置において、ケーシングと、便器と、の間の隙間に溜まった汚れやゴミを容易に清掃することができるトイレ装置を提供することができる。
【図面の簡単な説明】
【００１８】
【図１】本実施形態にかかるトイレ装置を表す斜視模式図である。
【図２】本実施形態にかかるトイレ装置においてハンドルを回動させた状態を表す斜視模式図である。
【図３】本実施形態のベースプレートを上側から眺めた模式図である。
【図４】本実施形態の前ベースプレートの第２プレート、第３プレートを上側から眺めた模式図である。
【図５】本実施形態の後ベースプレートを上側から眺めた模式図である。
【図６】本実施形態の後ベースプレート、第２、第３プレートとの取り付け状態を上側から眺めた模式図である。
【図７】本実施形態の昇降装置の分解斜視図である。
【図８】本実施形態の昇降装置により、前ベースプレートが傾斜した状態を示す模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本実施形態にかかるトイレ装置を表す斜視模式図である。  
また、図２は、本実施形態にかかるトイレ装置においてハンドルを回動させた状態を表す斜視模式図である。
【００２０】
本実施形態にかかるトイレ装置１００は、前部にボウル部８１０を有する便器８００の上部に設置されている。トイレ装置１００は、ボウル８１０の後方上部に設置されたケーシング２００と、そのケーシング２００に対して開閉自在に軸支された便座３００および便蓋４００と、を有する。また、ケーシング２００の内部には、便座３００に座った使用者の「おしり」などの洗浄を実現する局部洗浄機構が内蔵されている。また、ケーシング２００の内部には、便器８００のボウル部８１０を洗浄水により洗浄可能な便器洗浄機構が内蔵されている。
【００２１】
なお、局部洗浄機構としては、例えば、便器８００のボウル８１０内の空気を吸い込み、フィルタや触媒などを介して臭気成分を低減させる脱臭機能部や、便座３００に座った使用者の「おしり」などに向けて温風を吹き付けて乾燥させる温風乾燥機能部や、トイレ室内に温風を吹き出してトイレ室を暖房する室内暖房機能部などを備えていてもよい。
【００２２】
なお、本実施形態における便器洗浄機構としては、洗浄水を貯水するタンクと、タンクへ洗浄水を給水する給水機構と、タンクに貯水した洗浄水を、便器８００のボウル部８１０に排水する排水機構からなる。
【００２３】
また、便器８００の後方側部には、パネル８３０が設けられている。これによれば、パネル８３０は、便器８００の側面や適宜設けられた配管などを覆い隠すことができるため、意匠性を確保することができる。
【００２４】
ケーシング２００の下部には、図１に表したように、ハンドル（作動部）５４０が設けられている。使用者は、例えば手などを利用することにより、ハンドル５４０を右側方に引き出すことができる。そしてさらに、使用者は、図２に表した矢印Ａ２のように、その引き出したハンドル５４０を回動させることができる。そうすると、ケーシング２００の前方側は、図２に表した矢印Ａ３のように、ケーシング２００の後方側を中心として回動し、便器８００の上面８２０から上昇して離間できる。
【００２５】
そうすると、図２に表したように、ハンドル５４０を矢印Ａ２の方向に回動させる前、すなわちケーシング２００の前方側が上昇する前よりも大きな隙間が、ケーシング２００と、便器８００の上面８２０と、の間において生ずる。これによれば、使用者は、ケーシング２００と、便器８００の上面８２０と、の間の隙間から清掃用具や手などを入れることにより、その隙間の部分を容易に清掃することができる。
【００２６】
また、ケーシング２００と、便器８００の上面８２０と、の間の隙間に汚れやゴミが溜まったままの状態となることを抑制することができる。そのため、便器８００の上面８２０との間の隙間から異臭が発生することを抑制することができる。またさらに、本実施形態では、ケーシング２００の全体を上昇させるわけではなく、ケーシング２００の前方側を回動させて上昇させるため、ケーシング２００に内蔵された局部洗浄機構、ほとんど伸縮しない。そのため、ケーシング２００の前方側の昇降時には、これらの配管および配線などが破損したり損傷を受けるおそれは少ない。また、便器洗浄機構は、上昇に伴い、変化することがない。
【００２７】
次に、前ベースプレート１０、後ベースプレート２０の取り付け構造について、図面を参照しつつ詳細に説明する。
図３は、本実施形態のベースプレートを上側から眺めた模式図である。また、図４は、本実施形態の前ベースプレートの第２プレート、第３プレートを上側から眺めた模式図である。図５は、本実施形態の後ベースプレートを上側から眺めた模式図である。図６は、本実施形態の後ベースプレート、第２、第３プレートとの取り付け状態を上側から眺めた模式図である。  
【００２８】
図３〜図６に表したように、便器８００に取り付けられるベースプレートは、前ベースプレート１０と、後ベースプレート２０と、を有する。局部洗浄機構は、前ベースプレート１０に搭載され、前ベースプレート１０を介して、便器８００に取り付けられる。便器洗浄機構は、後ベースプレートに搭載され、後ベースプレート２０を介して、便器８００に取り付けられる。前ベースプレート１０と、後ベースプレート２０は、その上方をケーシング２００により覆われている。前ベースプレートは、第１プレート１と、第２プレート２と、第３プレート３と、を有する。
【００２９】
第１プレート１は、第３プレート３の前方側３０に第１プレート１の後方側が積載される形で、第３プレート３に固定されている。第３プレート３は、第３プレート３に設置された昇降装置５００のロック機構により第２プレート２に対して、固定及び離反可能となっている。また、図６に表したように、第２プレート２と、第３プレート３との固定状態においては、第３プレート３の前方部が、第２プレート２の上方に積載される形で、第３プレート３と第２プレート２とが固定されている。
【００３０】
図４（ｂ）に表したように、第２プレート２には、ナット挿入孔６が形成されている。ナット挿入孔６を介して、第２プレート２が、便器８００に取り付けられる。結果、第１プレート１、第２プレート２、第３プレート３とからなる前ベースプレート１０が、便器８００に固定されることになる。
【００３１】
図５に表したように、後ベースプレート２０は、ナット挿入孔７が形成されており、ナット挿入孔７を介して、便器８００に取り付けられている。また、後ベースプレート２０には、回転軸受け部５が形成されている。一方、図４（ａ）に表したように、第３プレート３には、回転軸４を備えている。回転軸４が、回転軸受け部５に嵌挿されることで、第３プレート３と後ベースプレート２０とが、第３プレートが、回転軸４を中心に、回転可能に固定されている。
【００３２】
また、後ベースプレート２０と、第２プレート２とを、便器８００に固定した状態において、第２プレート２の後方側の一部９は、後ベースプレート２０の前方側の一部８の上方に積載されている。この構成により、便器８００の上面８２０にうねりがあったとしても、第２プレート２を、略水平に取り付けることができるので、第１プレート１と、局部洗浄機構と、ケーシング２００と、を略鉛直方向に対して、後述する昇降装置５００により、安定して傾斜させることができる。
【００３３】
次に、昇降装置５００の詳細構造について、図面を参照しつつ説明する。
図７は、本実施形態の昇降装置の分解斜視図である。図８は、本実施形態の昇降装置により、前ベースプレートが傾斜した状態を示す模式図である。
【００３４】
本実施形態の昇降装置５００は、図７に表したように、第３プレート３に設置されている。  昇降装置５００は、回動軸５３０と、回動軸５３０の一端に固定されたハンドル５４０と、回動軸５３０の中間部に固定された支柱（受け部）５５０と、フック５７０と、フック５７０を移動させるスライダ５６０と、カバー５２０と、第３プレート３に形成されたケース５１０を有する。
【００３５】
回動軸５３０には、ばね（付勢部材）５８６が挿入されており、そのばね５８６を押さえる第１のばね押さえ５８５およびブッシュ５８７が取り付けられている。また、ケース５１０には、回動軸５３０の先端部の回動をロックするロック部材５８１が固定される。スライダ５６０は、その側面から側方に突出した突部５６１を有し、その突部５６１にはばね５８９が挿入される。また、回動軸５３０には、スライダ５６０を回動軸５３０の軸方向に移動させる第２のばね押さえ５８３が取り付けられている。
【００３６】
フック５７０は、その上面に溝部５７１を有する。一方、スライダ５６０は、下面から下方に突出した略円筒状の突部５６３と、前面から前方に突出した突部５６５と、を有する。スライダ５６０の突部５６３と、フック５７０の溝部５７１と、は互いに係合可能であり、突部５６３は、溝部５７１内を移動することができる。そして、スライダ５６０が回動軸５３０の軸方向に移動することにより、すなわちスライダ５６０の突部５６３がフック５７０の溝部５７１内を移動することにより、フック５７０の一部は、ケース５１０から進出したり後退したりできる。また、支柱５５０は、回動軸５３０に取り付けられた状態において、左右側方に突出した係合凸部５５１を有する。
【００３７】
そして、回動軸５３０の一部、支柱５５０、スライダ５６０、ロック部材５８１、第１および第２のばね押さえ５８３、５８５、ブッシュ５８７、およびばね５８６、５８９は、ケース５１０に収納され、その上をカバー５２０により覆われている。
【００３８】
次に、昇降装置５００により、前ベースプレート１０の前方側を上昇させる機構について説明する。
本実施形態のフック５７０は、昇降装置５００の外部へ向かって突出した爪部を有する。一方、第２プレート２は、フック５７０の爪部と係合可能な係合溝を有する。そして、フック５７０の爪部と、係合溝と、は互いに係合している状態で、第２プレート２と第３プレート３とが、固定されている。
【００３９】
そのため、この状態から、例えば、使用者が無理にあるいは悪戯にケーシング２００の前方側を上昇させようとしても、爪部と係合溝とが互いに係合しているため、フック５７０を有する昇降装置５００は、この状態から上昇することはできない。つまり、昇降装置５００が取り付けられた第３プレート３は、図３に表したように、第２プレート２と固定されている状態から上昇することはできない。
【００４０】
これにより、使用者が無理にあるいは悪戯にケーシング２００の前方側を持ち上げて上昇させようとしても、ケーシング２００は、その状態から上昇することはできない。そのため、本実施形態にかかるトイレ装置の昇降装置５００などが破壊したり破損したりすることを抑制することができる。
【００４１】
一方、使用者が、ハンドル５４０を回動させ、前ベースプレート１０の前方側を上昇させようとしても、爪部と係合溝とが係合したままでは、前ベースプレート１０の前方側は上昇できない。そこで、本実施形態にかかるトイレ装置では、使用者がハンドル５４０を図２に表した矢印Ａ１のように引き出すと、フック５７０の爪部は、昇降装置５００のケース５１０内に後退できる。これにより、爪部と係合溝との係合が解除され、前ベースプレート１０の前方側は、便器８００の上面８２０から上昇して離間することができる。
【００４２】
この状態において、図２に表した矢印Ａ２のように、使用者がハンドル５４０を回動させると、支柱５５０は、回動軸５３０を介して伝達されたハンドル５４０からの回動力を受け、回動する。すなわち、使用者がハンドル５４０を回動させると、支柱５５０は、第３プレート３の下面からみて倒立した状態となる。
【００４３】
そうすると、支柱５５０は、図８に表したように、第３プレート３に支持される。その結果として、支柱５５０は、昇降装置５００が付設された第３プレート３に固定された第１プレート１、つまり、前ベースプレート１０の前方側を、第３プレートの回転軸４を支点として、便器８００の上面８２０から上昇させ離間、傾斜させることができる。支柱５５０が回動する際には、回動軸５３０に固定されていない側の支柱５５０の端部は、第３プレート３の表面と当接しつつその表面上をスライドする。
【００４４】
これによれば、使用者は、より小さな力で楽にハンドル５４０を回動させ、前ベースケーシング２００の前方側を便器８００の上面８２０から上昇させ離間させることができる。また、これによれば、前ベースプレート１０の前方側が、便器本体の上面から上昇することにより、前ベースプレート１０と、前ベースプレートに搭載される局部洗浄機構と、ケーシング２００と、が傾斜可能であるので、耐久性や大きな力を必要な大掛かりな装置を用いなくて、簡単に上昇させることができる。そのため、容易に、ケーシング２００と、便器８００と、の間の隙間に溜まった汚れやゴミを容易に清掃することができる。
【００４５】
また、第３プレート３の回転軸を支点に、第３プレート、第１プレートが傾斜して上昇するので、大掛かりな装置を用いなくても、簡単に前ベースプレート１０と、局部洗浄機構と、ケーシング２００と、を傾斜させることができる。
【符号の説明】
【００４６】
１ 第１プレート、  ２ 第２プレート、  ３ 第３プレート、  ４ 回転軸、  ５回転軸受け部、  ６ ナット挿入孔、  ７ ナット挿入孔、  ８ 後ベースプレートの前方側の一部、  ９  第２プレートの後方側の一部、  １０ 前ベースプレート、  ２０ 後ベースプレート、  ３０ 第３プレートの前方側、  １００ トイレ装置、  ２００ ケーシング、  ３００ 便座、  ４００ 便蓋、  ５００ 昇降装置、  ５１０ ケース、  ５２０ カバー、  ５３０ 回動軸、  ５４０ ハンドル、  ５５０ 支柱、  ５６０ スライダ、  ５６１ 突部、  ５６３ 突部、  ５６５ 突部、  ５７０ フック、  ５７１ 溝部、  ５８１ ロック部材、  ５８３ 第２のばね押さえ、  ５８５ 第１のばね押さえ、  ５８６ ばね、  ５８７ ブッシュ、  ５８９ ばね、  ８００ 便器、  ８１０ ボウル部、  ８２０ 上面、  ８３０ パネル
【図１】
2014218864.tif 000003
【図２】
2014218864.tif 000004
【図３】
2014218864.tif 000005
【図４】
2014218864.tif 000006
【図５】
2014218864.tif 000007
【図６】
2014218864.tif 000008
【図７】
2014218864.tif 000009
【図８】
2014218864.tif 000010